(57)【要約】      （修正有）【課題】油圧ショベル等のフックにケーブルドラムを吊り上げた状態で、ケーブルの引き出しや巻取りを行うことができ、これに伴い重量バランスが崩れても、ケーブルドラムが大きく傾かない吊り下げ式支持具を提供する。【解決手段】クレーンフック１に引掛けた一対のワイヤーロープ３（上側吊り下げ部材）によって、梁部材４を水平になるように支持しつつ、その両端部から垂れ下がる一対のワイヤーロープ８（下側吊り下げ部材）を介して、ドラムシャフトの両端部を吊り下げることで、ケーブルドラム２の重量バランスが崩れても、梁部材が概ね水平に維持されるようにし、このことによってケーブルドラムが大きく傾かないようにする。【選択図】図１
0003233537.tif 000002
【実用新案登録請求の範囲】
【請求項１】
建設機械等のフックにケーブルドラムを吊り下げて、回転できるように支持するための吊り下げ式支持具であって、
上記のフックにそれぞれ引掛けられ、下方に向かって互いに離れるように延びる一対の上側吊り下げ部材と、
これら一対の上側吊り下げ部材のそれぞれの下端部が両端部に連結されて、水平になるように支持される梁部材と、
この梁部材の両端部にそれぞれの上端部が連結され、下方に向かって延びる一対の下側吊り下げ部材と、
この下側吊り下げ部材のそれぞれの下端部に連結されて、ドラムシャフトの両端部を回転できるように支持する一対の軸受け部材と、を備え、
上記梁部材における一対の下側吊り下げ部材との連結部位が、一対の上側吊り下げ部材との連結部位よりも、梁部材の長手方向における中央寄りに位置していることを特徴とする、ケーブルドラムの吊り下げ式支持具。
【請求項２】
梁部材における下側吊り下げ部材の連結部位が長手方向に変更できるようになっている、ことを特徴とする請求項１に記載のケーブルドラムの吊り下げ式支持具。
【請求項３】
下側吊り下げ部材の上端部は、上下方向の軸周りに回転できるようにベアリングを介して梁部材に連結されている、ことを特徴とする請求項１に記載のケーブルドラムの吊り下げ式支持具。
【請求項４】
上側吊り下げ部材の下端部も、上下方向の軸周りに回転できるようにベアリングを介して梁部材に連結されている、ことを特徴とする請求項３に記載のケーブルドラムの吊り下げ式支持具。
【請求項５】
軸受け部材の上部に、下側吊り下げ部材との連結部が設けられている一方、軸受け部材の下部には、ドラムジャッキとの嵌め合い部が設けられている、ことを特徴とする請求項１，２，３，４のいずれか１項に記載のケーブルドラムの吊り下げ式支持具。
【考案の詳細な説明】
【技術分野】
【０００１】  本考案は、建設機械等のフックにワイヤーロープ等によってケーブルドラムを吊り下げて、回転可能に支持するための吊り下げ式支持具に関するものである。
【背景技術】
【０００２】  従来より、例えば電力ケーブルや通信ケーブルなどを敷設する現場においては、延線作業のためにケーブルドラムからケーブルを引き出したり、反対に巻き取ったりすることができるように、ケーブルドラムを一対のスタンド（ドラムジャッキなど）の間に回転可能に支持するようにしている。
例えば特許文献１に記載のケーブルドラム支持装置は、互いに離間して立設される一対の脚部（ジャッキ）を有し、そのネジシャフトの上端に設けられた凸部が、ソケット（軸受け部材）の凹陥部に嵌め込まれている。そして、それら一対のソケットにおいてドラムシャフトの両端部を軸支するようになっている。【０００３】  このようなスタンドを使用してケーブルドラムを支持する場合、ある程度の距離まではケーブルを引き回して延線することができるものの、距離が長くなってくれば一旦、クレーンなどによってケーブルドラムを吊り上げて、スタンドから取り外し、このスタンドを運んで設置し直した後に再びケーブドラムを取り付ける、といった作業を繰り返すことになる。
また、そもそも山間部などの現場においては、設置場所の地面の勾配がきつかったり、大きな凹凸があったりして、スタンドを適切に設置することが難しいことも多い。この場合は、スタンドの間に支持したケーブルドラムが傾いてしまい、安定して回転させることができないばかりか、脱落するおそれもある。【０００４】  なお、特許文献２には、ケーブルドラムをクレーンなどで数センチほど吊り上げて、回転させるための吊り下げ金具について記載されている。この吊り下げ金具は、逆Ｕ字状の吊り下げ金具の上部に設けられた吊部をクレーン等のフックに引掛ける一方、吊り下げ金具の下部には一対の軸受部が設けられ、これらの軸受部によってドラムシャフトの両端部を支持するようになっている。
【先行技術文献】
【特許文献】
【０００５】
【特許文献１】特開平５−１４６０１５号公報
【特許文献２】実開平２−３７１６８号公報
【考案の概要】
【考案が解決しようとする課題】
【０００６】  特許文献２に記載された従来の吊り下げ金具は、作業者の安全性を考慮して、重量のあるケーブルドラムを床面で回転させないようにしつつ、試験が行い易くなる位置まで少しだけ回転させるためのものである。このためにケーブルドラムを数センチほど吊り上げて、せいぜい半周程度、回転させることはできるものの、ケーブルの引き出しや巻取りを行うことはできない。【０００７】  なぜならば、仮に上記の吊り下げ金具の吊部をクレーン等のフックに引掛けたまま、ケーブルドラムを回転させて、ケーブルの引き出しや巻取りを行うと、これに伴いケーブルドラムの重量バランスが崩れることから、吊り下げ金具全体が、ドラムシャフトやケーブルドラムもろとも大きく傾いてしまい、とてもケーブルの引き出しや巻取りを行えるようなものではないからである。
【課題を解決するための手段】
【０００８】  本考案は、例えば油圧ショベル等のフックにケーブルドラムを吊り上げた状態で、ケーブルの引き出しや巻取りを行うことができ、これに伴い重量バランスが崩れても、ケーブルドラムが大きく傾かないように、吊り下げ式支持具の構造に工夫をしたものである。【０００９】  本考案は、フックに引掛けた一対のワイヤーロープ等（上側吊り下げ部材）によって、梁部材を水平になるように支持しつつ、その両端部から垂れ下がる一対のワイヤーロープ等（下側吊り下げ部材）を介して、ドラムシャフトの両端部を吊り下げることで、ケーブルドラムの重量バランスが崩れても、梁部材が概ね水平に維持されるようにしており、このことによって問題点を解決している。
【考案の効果】
【００１０】  上述のように、本考案の吊り下げ式支持具は、上側吊り下げ部材によって吊り下げた梁部材を、ケーブルドラムの重量バランスが崩れても概ね水平に維持することができ、この梁部材から下側吊り下げ部材を介して吊り下げたドラムシャフトが、大きく傾くことはない。
よって、例えば油圧ショベル等のフックから吊り下げたまま、ケーブルドラムを安定して何回も回転させ、ケーブルの引き出しや巻取りを行うことができる。これにより、ケーブルの延線距離が長くなっても、ケーブルドラムをスタンドから取り外したり、スタンドを運んで設置し直したりする作業を繰り返す必要がなく、作業者の疲労軽減が図られる。【００１１】  また、山間部などの現場において地面の勾配がきつかったり、大きな凹凸があったりして、スタンドを適切に設置することが難しい場合でも、油圧ショベル等のフックから吊り下げた状態でケーブルドラムを安定して回転させ、ケーブルの引き出しや巻取りを行うことにより、延線作業を実行できる。【００１２】  好ましくは、梁部材における下側吊り下げ部材との連結部位が長手方向に変更できるようになっていることであり、こうすると、様々な大きさのケーブルドラムを安定的に支持することができる。
また、好ましくは、上側吊り下げ部材や下側吊り下げ部材を、ベアリングを介して梁部材に連結し、上下方向の軸周りに回転できるようにすることである。こうすると、例えばワイヤーロープやチェーンなどの吊り下げ部材がねじれて、連結部などに無理な力が加わることを防げる。【００１３】  さらに、軸受け部材の上部には、下側吊り下げ部材との連結部が設けられている一方、軸受け部材の下部には、ドラムジャッキとの嵌め合い部が設けられていることが好ましい。こうすると、平坦な現場では、軸受け部材をドラムジャッキの上にセットして、従来一般的なソケットとして使用することもできる。言い換えると、そのようなソケットを利用して、本考案の軸受け部材を製作できる。
【図面の簡単な説明】
【００１４】
【図１】本発明の一実施態様を示すケーブルドラムの吊り下げ式支持具の正面図である。
【図２】梁部材を上方から見て示す平面図である。
【図３】上側金具の梁部材との連結部位を拡大して示す図である。
【考案を実施するための形態】
【００１５】  建設機械等のフックにケーブルドラムを吊り下げて回転できるように支持するための吊り下げ式支持具である。上記のフックにそれぞれ引掛けられ、下方に向かって互いに離れるように延びる一対の上側吊り下げ部材と、これら一対の上側吊り下げ部材のそれぞれの下端部が両端部に連結されて、水平になるように支持される梁部材と、を備える。
また、その梁部材の両端部にそれぞれの上端部が連結され、下方に向かって延びる一対の下側吊り下げ部材と、この下側吊り下げ部材のそれぞれの下端部に連結されて、ドラムシャフトの両端部を回転できるように支持する一対の軸受け部材と、を備える。そして、上記梁部材における一対の下側吊り下げ部材との連結部位が、一対の上側吊り下げ部材との連結部位よりも、梁部材の長手方向における中央寄りに位置している。
【実施例】
【００１６】  以下、添付図面１〜３に従って本考案のケーブルドラムの吊り下げ式支持具の一実施態様について説明する。この例の吊り下げ式支持具は、正面から見て図１に示すように、クレーンフック１にケーブルドラム２（電力ケーブル２０等が巻き付けられたドラム）を吊り下げて、回転可能に支持するためのものである。
上記のクレーンフック１は、例えば油圧ショベルやトラッククレーンのアームに取り付けられて垂れ下がっており、このクレーンフック１に左右一対の上側ワイヤーロープ３，３（上側吊り下げ部材）のそれぞれの上端部が引掛けられている。これら上側ワイヤーロープ３，３は、下方に向かって互いに離れるように延びていて、それぞれの下端部が梁部材４の左右の両端部に連結されている。【００１７】  左右の上側ワイヤーロープ３，３の長さは大体同じで、梁部材４を水平になるように支持している。梁部材４は、例えば角断面の鉄製パイプ部材であって、図２に上方から見て示すように、梁部材４の左右両端部にはそれぞれ、ボルトの貫通する丸穴４ａが４つずつ形成されている。図示のように丸穴４ａは、梁部材４の長手方向に間隔を空けて形成されている。
図１に表れているように、左右それぞれの４つの丸穴４ａのうち、梁部材４の端寄りの３つのうちのいずれかに上方からボルト６ａが挿し通され、上側ワイヤーロープ３の下端部を連結するための上側金具５が取り付けられている。この上側金具５は、上下方向の軸周りに回転できるようにベアリング６を介して梁部材４に連結され、梁部材４の上方に突出している。【００１８】  すなわち、図３に拡大して示すように上側金具５は、環状の本体部５ａの下部に一対の脚部５ｂ，５ｂが設けられ、この脚部５ｂがベアリング６の外筒に連結されている。一方、ベアリング６の内筒には上方からボルト６ａが挿し通されて、梁部材４の下方に突出している。そして、このボルト６ａとナット６ｂによってベアリング６の内筒が梁部材４に締結されている。
また、梁部材４の左右それぞれの４つの丸穴４ａのうち、上側金具５よりも中央寄りのいずれかに下方からボルト６ｂが挿し通されて、上側金具５とは上下反対向きに下側金具７が取り付けられている。この下側金具７は上側金具５と同様にベアリング６を介して取り付けられて、梁部材４の下方に突出しており、上下方向の軸周りに回転できるようになっている。【００１９】  そして、左右一対の下側金具７，７にそれぞれ上端部が連結された一対の下側ワイヤーロープ８，８（下側吊り下げ部材）が、下側金具７から真直ぐに下方に向かって延びており、その下端部にはそれぞれ、ドラムシャフト９の左右両端部を回転可能に支持する一対の軸受け部材１０，１０が連結されている。
つまり、梁部材４の左右両端部において、それぞれ梁部材４を吊り下げる上側ワイヤーロープ３の下端部が梁部材４の長手方向における端寄りに位置し、この梁部材４にドラムシャフト９を吊り下げる下側ワイヤーロープ８の上端部は、梁部材４の長手方向における中央寄りに位置している。【００２０】  このため、ケーブル２０の引き出しや巻取りに伴い、ケーブルドラム９の重量バランスが崩れても、梁部材４は、重くなった方に傾かず、概ね水平に維持することができる。
例えば図１のケーブルドラム２の右側が左側よりも重くなると、このケーブルドラム２及びドラムシャフト９は、右側が低くなるように（図１で時計回りに）傾こうとするが、このときに梁部材４の右側の端部において、上側ワイヤーロープ３による荷重の支持点の周りには、図１で反時計回りのモーメントが作用するので、梁部材４の傾きが抑えられるからである。【００２１】  このように、ケーブルドラム２の重量バランスが崩れても、梁部材４が概ね水平に維持されることから、ドラムシャフト９やケーブルドラム２の傾きが抑えられ、ケーブルドラム２を吊り下げたまま安定して何回も回転させて、ケーブル２０の引き出しや巻取りを行うことができる。
このため、油圧ショベル等を用いて吊り上げたまま、ケーブル２０の引き出しや巻取りを行い、さらにケーブルドラム２を移動させることもできる。よって、ケーブル２０の延線距離が長い現場においても、ケーブルドラム２をドラムジャッキから取り外したり、ドラムジャッキを運んで設置し直したりする作業が不要になって、作業者の疲労軽減が図られる。【００２２】  また、山間部などの現場において地面の勾配がきつかったり、大きな凹凸があったりして、そもそもドラムジャッキを適切に設置することが難しい場合でも、油圧ショベル等を用いてケーブルドラム２を吊り下げたまま、ケーブル２０の引き出しや巻取りを行うことができるので、従来は作業が困難だった現場でも延線作業を実行できる。
その際、地面の勾配や凹凸によって油圧ショベル等が傾いても、そのアームから吊り下げたケーブルドラム２の傾きは抑えることができるので、問題は生じない。【００２３】  但し、そうしてケーブルドラム２を吊り下げたまま、油圧ショベル等を移動させたり、地面の勾配や凹凸によって油圧ショベル等が傾いたりすると、重量のあるケーブルドラム２が横揺れして、これを吊り下げている下側ワイヤーロープ８や上側ワイヤーロープ３がねじれる心配がある。
これに対して、この実施例ではいずれのワイヤーロープ３，８も梁部材４に対してベアリング６を介して連結されて、上下方向の軸周りに回転できるようになっている。このため、これらのワイヤーロープ３，８がねじれて無理な力が加わることを防げる。【００２４】  さらに、この実施例では上述したように、梁部材４には左右それぞれ４つずつ、丸穴４ａが形成されており、そのうちのいずれかに挿通するボルトによって、上側金具５や下側金具７を介してワイヤーロープ３，８の端部が連結されるようになっている。よって、その連結部位を梁部材４の長手方向に変更して、様々な大きさのケーブルドラム２を安定的に支持することができる。【００２５】  加えて、この実施例では図１に表れているように、ドラムシャフト９の端部を支持する軸受け部材１０には、その上部に、下側ワイヤーロープ８の下端部との連結部１０ａが設けられている一方、軸受け部材１０の下部には、一般的なドラムジャッキの上端部が嵌め込まれる筒状の嵌め合い部１０ｂが設けられている。
このため、例えば地面が平坦な現場であれば、軸受け部材１０を下側ワイヤーロープ８から取り外して、一般的なドラムジャッキの上にセットして使用することもできる。言い換えると軸受け部材１０は、汎用のドラムジャッキのソケットを利用し、その上部に下側ワイヤーロープ８の連結部１０ａを溶接等することによって、製作することができる。【００２６】  なお、上述した実施例の吊り下げ式支持具において、ワイヤーロープ３，８の代わりにチェーンなどの吊り下げ部材を使用することもできる。また、梁部材４は角断面の鉄製パイプ部材に限定されず、その他の形状であってもよいし、その他の材料を使用してもよい。
また、本考案の吊り下げ式支持具を使用する建設機械等というのは、実施例に記載した油圧ショベルやトラッククレーン等、一般的に建設機械、重機などと呼ばれるものを含むことは勿論、トラックや産業車両であっても、重量のあるケーブルドラムを吊り下げることが可能なクレーン、アーム等を備えるものであればよい。
【符号の説明】
【００２７】１．クレーンフック、２．ケーブルドラム、３．上側ワイヤーロープ（上側吊り下げ部材）、４．梁部材、５．上側金具、６．ベアリング、７．下側金具、８．下側ワイヤーロープ（下側吊り下げ部材）、９．ドラムシャフト、１０．軸受け部材、１０ａ．連結部、１０ｂ．嵌め合い部
【図１】
0003233537.tif 000003
【図２】
0003233537.tif 000004
【図３】
0003233537.tif 000005